(57)【要約】  本開示は、データ伝送方法、装置、コンピュータプログラム、記録媒体を開示し、モバイル通信技術分野に属する。方法は、フレキシブルサブフレームの構成情報を確定するステップであって、フレキシブルサブフレームは、アップリンク伝送シンボルとダウンリンク伝送シンボルとを含み、占用されたサブタイムスロットは、交互に配置されるステップと、フレキシブルサブフレーム情報を、シグナリングを使用して、ＵＥに発するステップと、フレキシブルサブフレームの情報に基づいて、アップリンクデータを受信し、ダウンリンクデータを送信するステップと、を含む。本開示により、フレキシブルサブフレーム内のアップリンク伝送シンボルとダウンリンク伝送シンボルとの配置が実現でき、ＵＥの確認メッセージのフィードバックを迅速に行うことができ、伝送遅延を低減し、ＴＤＤの様々な低レイテンシ要件のサービス伝送ニーズを満足させた。【選択図】図１
2019525581.tif 000002
【特許請求の範囲】
【請求項１】
時分割複信ＴＤＤ無線フレームに含まれた少なくとも一つのフレキシブルサブフレームの構成情報を確定するステップであって、前記フレキシブルサブフレームは、少なくとも一つのアップリンク伝送シンボルと少なくとも一つのダウンリンク伝送シンボルとを含むように構成され、アップリンク伝送シンボルとダウンリンク伝送シンボルとによって占用されたサブタイムスロットは、交互に配置される、ステップと、
確定された前記少なくとも一つのフレキシブルサブフレームの構成情報を、シグナリングを使用して、ユーザ機器（ＵＥ）に送信するステップと、
確定された前記少なくとも一つのフレキシブルサブフレームの構成情報に基づいて、アップリンク伝送シンボルが位置するサブタイムスロットで、アップリンクデータを受信し、ダウンリンク伝送シンボルが位置するサブタイムスロットで、ダウンリンクデータを送信するステップと、を含む
ことを特徴とするデータ伝送方法。
【請求項２】
前記フレキシブルサブフレームは、ガード間隔をさらに含むように構成され、前記ガード間隔は、ダウンリンク伝送シンボルが、アップリンク伝送シンボルに転換される際に、前記ダウンリンク伝送シンボルとアップリンク伝送シンボルとの間に、位置する
ことを特徴とする請求項１に記載のデータ伝送方法。
【請求項３】
前記ガード間隔は、ダウンリンク伝送シンボルが、一つのフレキシブルサブフレーム内で、アップリンク伝送シンボルに転換される際に、前記ダウンリンク伝送シンボルとアップリンク伝送シンボルとの間に、位置するように配置されるか、或いは、
前記ガード間隔は、ダウンリンク伝送シンボルが、隣接するフレキシブルサブフレームとの間で、アップリンク伝送シンボルに転換される際に、前記ダウンリンク伝送シンボルとアップリンク伝送シンボルとの間に、位置するように配置される
ことを特徴とする請求項２に記載のデータ伝送方法。
【請求項４】
ＴＤＤ無線フレームに含まれた少なくとも一つのフレキシブルサブフレームの構成情報を確定するステップは、
それぞれのフレキシブルサブフレーム毎に、それぞれのアップリンク伝送シンボルによって占用されたサブタイムスロットの位置および時間長さと、それぞれのダウンリンク伝送シンボルによって占用されたサブタイムスロットの位置および時間長さとを、確定するステップと、
前記フレキシブルサブフレームがガード間隔をさらに含むように構成されると、前記ガード間隔によって占用されたサブタイムスロットの位置および時間長さを、確定するステップと、を含む
ことを特徴とする請求項１又は２に記載のデータ伝送方法。
【請求項５】
前記少なくとも一つのフレキシブルサブフレームは、動的配置フレキシブルサブフレームを含み、
動的配置フレキシブルサブフレームの構成情報を確定するステップは、
動的配置フレキシブルサブフレームの中のそれぞれのサブタイムスロットの位置、占用情報、および、時間長さを、周期的に、確定するステップを含む
ことを特徴とする請求項１又は２に記載のデータ伝送方法。
【請求項６】
前記少なくとも一つのフレキシブルサブフレームは、半動的配置フレキシブルサブフレームを含み、前記半動的配置フレキシブルサブフレームは、固定配置タイムスロットとフレキシブル配置タイムスロットとを含み、
半動的配置フレキシブルサブフレームの構成情報を確定するステップは、
第１の設定周期の間隔で、半動的配置フレキシブルサブフレームの中のそれぞれの固定配置タイムスロットの位置、占用情報、および、時間長さを、確定するステップと、
第２の設定周期の間隔で、半動的配置フレキシブルサブフレームの中のそれぞれのフレキシブル配置タイムスロットの位置、占用情報、および、時間長さを、確定するステップと、を含み、
前記第１の設定周期は、第２の設定周期よりも、長い
ことを特徴とする請求項１又は２に記載のデータ伝送方法。
【請求項７】
前記シグナリングは、ブロードキャストシグナリング、ＲＲＣシグナリング、および、物理層シグナリングを、含む
ことを特徴とする請求項１又は２に記載のデータ伝送方法。
【請求項８】
基地局によって送信される時分割複信ＴＤＤ無線フレームに含まれた少なくとも一つのフレキシブルサブフレームの構成情報を受信するステップであって、前記フレキシブルサブフレームは、少なくとも一つのアップリンク伝送シンボルと少なくとも一つのダウンリンク伝送シンボルとを含むように構成され、アップリンク伝送シンボルとダウンリンク伝送シンボルとによって占用されたサブタイムスロットは、交互に配置される、ステップと、
前記ＴＤＤ無線フレームに含まれた少なくとも一つのフレキシブルサブフレームの構成情報に基づいて、アップリンク伝送シンボルが位置するサブタイムスロットで、アップリンクデータを送信し、ダウンリンク伝送シンボルが位置するサブタイムスロットで、ダウンリンクデータを受信するステップと、を含む
ことを特徴とするデータ伝送方法。
【請求項９】
前記フレキシブルサブフレームは、ガード間隔をさらに含むように構成され、前記ガード間隔は、ダウンリンク伝送シンボルが、アップリンク伝送シンボルに転換される際に、前記ダウンリンク伝送シンボルとアップリンク伝送シンボルとの間に、位置する
ことを特徴とする請求項８に記載のデータ伝送方法。
【請求項１０】
前記ガード間隔は、ダウンリンク伝送シンボルが、一つのフレキシブルサブフレーム内で、アップリンク伝送シンボルに転換される際に、前記ダウンリンク伝送シンボルとアップリンク伝送シンボルとの間に、位置するように配置されるか、或いは、
前記ガード間隔は、ダウンリンク伝送シンボルが、隣接するフレキシブルサブフレームとの間で、アップリンク伝送シンボルに転換される際に、前記ダウンリンク伝送シンボルとアップリンク伝送シンボルとの間に、位置するように配置される
ことを特徴とする請求項９に記載のデータ伝送方法。
【請求項１１】
前記少なくとも一つのフレキシブルサブフレームは、動的配置フレキシブルサブフレームを含み、
基地局によって送信されるＴＤＤ無線フレームに含まれた少なくとも一つのフレキシブルサブフレームの構成情報を受信するステップは、
基地局によって送信されるＴＤＤ無線フレームの中の少なくとも一つの動的配置フレキシブルサブフレームの構造情報を、周期的に、受信するステップを含み、
前記動的配置フレキシブルサブフレームの中のそれぞれのサブタイムスロットの位置、占用情報、および、時間長さは、周期的に、動的に配置される
ことを特徴とする請求項８又は９に記載のデータ伝送方法。
【請求項１２】
前記少なくとも一つのフレキシブルサブフレームは、半動的配置フレキシブルサブフレームを含み、前記半動的配置フレキシブルサブフレームは、固定配置タイムスロットとフレキシブル配置タイムスロットとを含み、
基地局によって送信されるＴＤＤ無線フレームに含まれた少なくとも一つのフレキシブルサブフレームの構成情報を受信するステップは、
第１の設定周期の間隔で、基地局によって送信される無線フレームの中の少なくとも一つの半動的配置フレキシブルサブフレームの中のそれぞれの固定配置タイムスロットの位置、占用情報、および、時間長さの構成情報を、受信するステップと、
第２の設定周期の間隔で、基地局によって送信される無線フレームの中の少なくとも一つの半動的配置フレキシブルサブフレームの中のそれぞれのフレキシブル配置タイムスロットの位置、占用情報、および、時間長さの構成情報を、受信するステップと、を含み、
前記第１の設定周期は、第２の設定周期よりも、長い
ことを特徴とする請求項８又は９に記載のデータ伝送方法。
【請求項１３】
時分割複信ＴＤＤ無線フレームに含まれた少なくとも一つのフレキシブルサブフレームの構成情報を確定するための確定モジュールであって、前記フレキシブルサブフレームは、少なくとも一つのアップリンク伝送シンボルと少なくとも一つのダウンリンク伝送シンボルとを含むように構成され、アップリンク伝送シンボルとダウンリンク伝送シンボルとによって占用されたサブタイムスロットは、交互に配置される、確定モジュールと、
確定された前記少なくとも一つのフレキシブルサブフレームの構成情報を、シグナリングを使用して、ユーザ機器（ＵＥ）に送信するための送信モジュールと、
確定された前記少なくとも一つのフレキシブルサブフレームの構成情報に基づいて、アップリンク伝送シンボルが位置するサブタイムスロットで、アップリンクデータを受信し、ダウンリンク伝送シンボルが位置するサブタイムスロットで、ダウンリンクデータを送信するための伝送モジュールと、を備える
ことを特徴とするデータ伝送装置。
【請求項１４】
前記確定モジュールは、
前記フレキシブルサブフレームの中のガード間隔の構成情報を確定するための第１の確定サブモジュールを備え、
前記ガード間隔は、ダウンリンク伝送シンボルが、アップリンク伝送シンボルに転換される際に、前記ダウンリンク伝送シンボルとアップリンク伝送シンボルとの間に、位置する
ことを特徴とする請求項１３に記載のデータ伝送装置。
【請求項１５】
前記第１の確定サブモジュールは、ガード間隔が、ダウンリンク伝送シンボルが、一つのフレキシブルサブフレーム内で、アップリンク伝送シンボルに転換される際に、前記ダウンリンク伝送シンボルとアップリンク伝送シンボルとの間に、位置しているか、それとも、前記ガード間隔が、ダウンリンク伝送シンボルが、隣接するフレキシブルサブフレームとの間で、アップリンク伝送シンボルに転換される際に、前記ダウンリンク伝送シンボルとアップリンク伝送シンボルとの間に、位置しているかを、確定する
ことを特徴とする請求項１４に記載のデータ伝送装置。
【請求項１６】
前記確定モジュールは、第２の確定サブモジュールをさらに備え、その中、
前記第２の確定サブモジュールは、それぞれのフレキシブルサブフレーム毎に、それぞれのアップリンク伝送シンボルによって占用されたサブタイムスロットの位置および時間長さと、それぞれのダウンリンク伝送シンボルによって占用されたサブタイムスロットの位置および時間長さとを、確定し、
前記第１の確定サブモジュールは、前記フレキシブルサブフレームがガード間隔をさらに含むように構成されると、前記ガード間隔によって占用されたサブタイムスロットの位置および時間長さを、確定する
ことを特徴とする請求項１３又は１４に記載のデータ伝送装置。
【請求項１７】
前記少なくとも一つのフレキシブルサブフレームは、動的配置フレキシブルサブフレームを含み、
前記確定モジュールは、動的配置フレキシブルサブフレームの中のそれぞれのサブタイムスロットの位置、占用情報、および、時間長さを、周期的に、確定する
ことを特徴とする請求項１３又は１４に記載のデータ伝送装置。
【請求項１８】
前記少なくとも一つのフレキシブルサブフレームは、半動的配置フレキシブルサブフレームを含み、前記半動的配置フレキシブルサブフレームは、固定配置タイムスロットとフレキシブル配置タイムスロットとを含み、
前記確定モジュールは、第１の設定周期の間隔で、半動的配置フレキシブルサブフレームの中のそれぞれの固定配置タイムスロットの位置、占用情報、および、時間長さを、確定し、第２の設定周期の間隔で、半動的配置フレキシブルサブフレームの中のそれぞれのフレキシブル配置タイムスロットの位置、占用情報、および、時間長さを、確定し、
前記第１の設定周期は、第２の設定周期よりも、長い
ことを特徴とする請求項１３又は１４に記載のデータ伝送装置。
【請求項１９】
前記シグナリングは、ブロードキャストシグナリング、ＲＲＣシグナリング、および、物理層シグナリングを、含む
ことを特徴とする請求項１３又は１４に記載のデータ伝送装置。
【請求項２０】
基地局によって送信される時分割複信ＴＤＤ無線フレームに含まれた少なくとも一つのフレキシブルサブフレームの構成情報を受信するための受信モジュールであって、前記フレキシブルサブフレームは、少なくとも一つのアップリンク伝送シンボルと少なくとも一つのダウンリンク伝送シンボルとを含むように構成され、アップリンク伝送シンボルとダウンリンク伝送シンボルとによって占用されたサブタイムスロットは、交互に配置される、受信モジュールと、
前記ＴＤＤ無線フレームに含まれた少なくとも一つのフレキシブルサブフレームの構成情報に基づいて、アップリンク伝送シンボルが位置するサブタイムスロットで、アップリンクデータを送信し、ダウンリンク伝送シンボルが位置するサブタイムスロットで、ダウンリンクデータを受信するための伝送モジュールと、を備える
ことを特徴とするデータ伝送装置。
【請求項２１】
前記受信モジュールは、前記フレキシブルサブフレームの中のガード間隔の構成情報を受信し、
前記ガード間隔は、ダウンリンク伝送シンボルが、アップリンク伝送シンボルに転換される際に、前記ダウンリンク伝送シンボルとアップリンク伝送シンボルとの間に、位置する
ことを特徴とする請求項２０に記載のデータ伝送装置。
【請求項２２】
前記受信モジュールは、さらに、フレキシブルサブフレームのガード間隔の構成情報を受信し、前記ガード間隔が、ダウンリンク伝送シンボルが、一つのフレキシブルサブフレーム内で、アップリンク伝送シンボルに転換される際に、前記ダウンリンク伝送シンボルとアップリンク伝送シンボルとの間に位置したり、または、前記ガード間隔が、ダウンリンク伝送シンボルが、隣接するフレキシブルサブフレームとの間で、アップリンク伝送シンボルに転換される際に、前記ダウンリンク伝送シンボルとアップリンク伝送シンボルとの間に位置する
ことを特徴とする請求項２１に記載のデータ伝送装置。
【請求項２３】
前記少なくとも一つのフレキシブルサブフレームは、動的配置フレキシブルサブフレームを含み、
前記受信モジュールは、基地局によって送信されるＴＤＤ無線フレームの中の少なくとも一つの動的配置フレキシブルサブフレームの構造情報を、周期的に、受信し、
前記動的配置フレキシブルサブフレームの中のそれぞれのサブタイムスロットの位置、占用情報、および、時間長さは、周期的に、動的に配置される
ことを特徴とする請求項２０又は２１に記載のデータ伝送装置。
【請求項２４】
前記少なくとも一つのフレキシブルサブフレームは、半動的配置フレキシブルサブフレームを含み、前記半動的配置フレキシブルサブフレームは、固定配置タイムスロットとフレキシブル配置タイムスロットとを含み、
前記受信モジュールは、第１の設定周期の間隔で、基地局によって送信される無線フレームの中の少なくとも一つの半動的配置フレキシブルサブフレームの中のそれぞれの固定配置タイムスロットの位置、占用情報、および、時間長さの構成情報を、受信し、第２の設定周期の間隔で、基地局によって送信される無線フレームの中の少なくとも一つの半動的配置フレキシブルサブフレームの中のそれぞれのフレキシブル配置タイムスロットの位置、占用情報、および、時間長さの構成情報を、受信し、
前記第１の設定周期は、第２の設定周期よりも、長い
ことを特徴とする請求項２０又は２１に記載のデータ伝送装置。
【請求項２５】
プロセッサと、
前記プロセッサの実行可能命令を記憶するためのメモリと、を備え、
その中、前記プロセッサは、請求項１乃至７のいずれか１項に記載の方法を実行するように構成される
ことを特徴とするデータ伝送装置。
【請求項２６】
請求項１乃至７のいずれか１項に記載の方法を実行するための命令を含む、コンピュータプログラムが、記録されている
ことを特徴とする記録媒体。
【請求項２７】
コンピュータによって実行されると、請求項１乃至７のいずれか１項に記載の方法を実行する
ことを特徴とするコンピュータプログラム。
【請求項２８】
プロセッサと、
前記プロセッサの実行可能命令を記憶するためのメモリと、を備え、
その中、前記プロセッサは、請求項８乃至１２のいずれか１項に記載の方法を実行するように構成される
ことを特徴とするデータ伝送装置。
【請求項２９】
請求項８乃至１２のいずれか１項に記載の方法を実行するための命令を含む、コンピュータプログラムが、記録されている
ことを特徴とする記録媒体。
【請求項３０】
コンピュータによって実行されると、請求項８乃至１２のいずれか１項に記載の方法を実行する
ことを特徴とするコンピュータプログラム。
【発明の詳細な説明】
【技術分野】
【０００１】
本開示は、モバイル通信技術分野に関し、特に、データ伝送方法、装置、コンピュータプログラム、および、記録媒体に関する。
【背景技術】
【０００２】
無線通信技術の分野は、数年間のバージョンの進化を経て、ユーザのニーズに合わせて、早期の２Ｇ、３Ｇから４Ｇへ、最近では徐々に５Ｇへ進化されている。５Ｇの主なる機能拡張は、データ伝送速度、カバレッジ、レイテンシ、容量などを含む。
【０００３】
５Ｇの段階に入ってから、一つの重要なサービスニーズは、ブロードバンド接続、モノのインターネット、自動車ネットワーキング、ワイドエリアカバレッジなどを含む様々なサービスをカバーする、柔軟なサービス構成を満足させることである。５Ｇの現在のサービスタイプは、進化したモバイルブロードバンド（ｅＭＢＢ：ｅｎｈａｎｃｅｄ  Ｍｏｂｉｌｅ  Ｂｒｏａｄ  Ｂａｎｄ）、大規模マシン型通信（ｍＭＴＣ：ｍａｓｓｉｖｅ  Ｍａｃｈｉｎｅ  Ｔｙｐｅ  Ｃｏｍｍｕｎｉｃａｔｉｏｎ）、信頼性の高い低遅延通信（ＵＲＬＬＣ：Ｕｌｔｒａ  Ｒｅｌｉａｂｌｅ  Ｌｏｗ  Ｌａｔｅｎｃｙ  Ｃｏｍｍｕｎｉｃａｔｉｏｎ）などの様々なタイプを含む。
【０００４】
その中、ＵＲＬＬＣサービスは、超低レイテンシがシステムの設計目標であり、これは、ユーザに対してより高い帯域幅を割り当て、なるべく短い時間内で伝送し、また、最短時間内でＡＣＫ／ＮＡＣＫフィードバックを実行することを、システムに、要求することである。
【発明の概要】
【０００５】
本開示は、関連技術での問題を解決するために、データ伝送方法、装置、コンピュータプログラム、および、記録媒体を提供する。その技術案は、以下のとおりである。
【０００６】
本開示の実施例の第１の態様によると、データ伝送方法を提供し、前記方法は、
時分割複信ＴＤＤ無線フレームに含まれた少なくとも一つのフレキシブルサブフレームの構成情報を確定するステップであって、前記フレキシブルサブフレームは、少なくとも一つのアップリンク伝送シンボルと少なくとも一つのダウンリンク伝送シンボルとを含むように構成され、アップリンク伝送シンボルとダウンリンク伝送シンボルとによって占用されたサブタイムスロットは、交互に配置される、ステップと、
確定された前記少なくとも一つのフレキシブルサブフレームの構成情報を、シグナリングを使用して、ユーザ機器（ＵＥ）に送信するステップと、
確定された前記少なくとも一つのフレキシブルサブフレームの構成情報に基づいて、アップリンク伝送シンボルが位置するサブタイムスロットで、アップリンクデータを受信し、ダウンリンク伝送シンボルが位置するサブタイムスロットで、ダウンリンクデータを送信するステップと、を含む。
【０００７】
一実施例において、前記フレキシブルサブフレームは、ガード間隔をさらに含むように構成され、前記ガード間隔は、ダウンリンク伝送シンボルが、アップリンク伝送シンボルに転換される際に、前記ダウンリンク伝送シンボルとアップリンク伝送シンボルとの間に、位置する。
【０００８】
一実施例において、前記ガード間隔は、ダウンリンク伝送シンボルが、一つのフレキシブルサブフレーム内で、アップリンク伝送シンボルに転換される際に、前記ダウンリンク伝送シンボルとアップリンク伝送シンボルとの間に、位置するように配置されるか、或いは、
前記ガード間隔は、ダウンリンク伝送シンボルが、隣接するフレキシブルサブフレームとの間で、アップリンク伝送シンボルに転換される際に、前記ダウンリンク伝送シンボルとアップリンク伝送シンボルとの間に、位置するように配置される。
【０００９】
一実施例において、ＴＤＤ無線フレームに含まれた少なくとも一つのフレキシブルサブフレームの構成情報を確定するステップは、
それぞれのフレキシブルサブフレーム毎に、それぞれのアップリンク伝送シンボルによって占用されたサブタイムスロットの位置および時間長さと、それぞれのダウンリンク伝送シンボルによって占用されたサブタイムスロットの位置および時間長さとを、確定するステップと、
前記フレキシブルサブフレームがガード間隔をさらに含むように構成されると、前記ガード間隔によって占用されたサブタイムスロットの位置および時間長さを、確定するステップと、を含む。
【００１０】
一実施例において、前記少なくとも一つのフレキシブルサブフレームは、動的配置フレキシブルサブフレームを含み、動的配置フレキシブルサブフレームの構成情報を確定するステップは、
動的配置フレキシブルサブフレームの中のそれぞれのサブタイムスロットの位置、占用情報、および、時間長さを、周期的に、確定するステップを含む。
【００１１】
一実施例において、前記少なくとも一つのフレキシブルサブフレームは、半動的配置フレキシブルサブフレームを含み、前記半動的配置フレキシブルサブフレームは、固定配置タイムスロットとフレキシブル配置タイムスロットとを含み、半動的配置フレキシブルサブフレームの構成情報を確定するステップは、
第１の設定周期の間隔で、半動的配置フレキシブルサブフレームの中のそれぞれの固定配置タイムスロットの位置、占用情報、および、時間長さを、確定するステップと、
第２の設定周期の間隔で、半動的配置フレキシブルサブフレームの中のそれぞれのフレキシブル配置タイムスロットの位置、占用情報、および、時間長さを、確定するステップと、を含み、
前記第１の設定周期は、第２の設定周期よりも、長い。
【００１２】
一実施例において、前記シグナリングは、ブロードキャストシグナリング、ＲＲＣシグナリング、および、物理層シグナリングを、含む。
【００１３】
本開示の実施例の第２の態様によると、もう一データ伝送方法を提供し、前記方法は、
基地局によって送信される時分割複信ＴＤＤ無線フレームに含まれた少なくとも一つのフレキシブルサブフレームの構成情報を受信するステップであって、前記フレキシブルサブフレームは、少なくとも一つのアップリンク伝送シンボルと少なくとも一つのダウンリンク伝送シンボルとを含むように構成され、アップリンク伝送シンボルとダウンリンク伝送シンボルとによって占用されたサブタイムスロットは、交互に配置される、ステップと、
前記ＴＤＤ無線フレームに含まれた少なくとも一つのフレキシブルサブフレームの構成情報に基づいて、アップリンク伝送シンボルが位置するサブタイムスロットで、アップリンクデータを送信し、ダウンリンク伝送シンボルが位置するサブタイムスロットで、ダウンリンクデータを受信するステップと、を含む。
【００１４】
一実施例において、前記フレキシブルサブフレームは、ガード間隔をさらに含むように構成され、前記ガード間隔は、ダウンリンク伝送シンボルが、アップリンク伝送シンボルに転換される際に、前記ダウンリンク伝送シンボルとアップリンク伝送シンボルとの間に、位置する。
【００１５】
一実施例において、前記ガード間隔は、ダウンリンク伝送シンボルが、一つのフレキシブルサブフレーム内で、アップリンク伝送シンボルに転換される際に、前記ダウンリンク伝送シンボルとアップリンク伝送シンボルとの間に、位置するように配置されるか、或いは、
前記ガード間隔は、ダウンリンク伝送シンボルが、隣接するフレキシブルサブフレームとの間で、アップリンク伝送シンボルに転換される際に、前記ダウンリンク伝送シンボルとアップリンク伝送シンボルとの間に、位置するように配置される。
【００１６】
一実施例において、前記少なくとも一つのフレキシブルサブフレームは、動的配置フレキシブルサブフレームを含み、基地局によって送信されるＴＤＤ無線フレームに含まれた少なくとも一つのフレキシブルサブフレームの構成情報を受信するステップは、
基地局によって送信されるＴＤＤ無線フレームの中の少なくとも一つの動的配置フレキシブルサブフレームの構造情報を、周期的に、受信するステップを含み、前記動的配置フレキシブルサブフレームの中のそれぞれのサブタイムスロットの位置、占用情報、および、時間長さは、周期的に、動的に配置される。
【００１７】
一実施例において、前記少なくとも一つのフレキシブルサブフレームは、半動的配置フレキシブルサブフレームを含み、前記半動的配置フレキシブルサブフレームは、固定配置タイムスロットとフレキシブル配置タイムスロットとを含み、基地局によって送信されるＴＤＤ無線フレームに含まれた少なくとも一つのフレキシブルサブフレームの構成情報を受信するステップは、
第１の設定周期の間隔で、基地局によって送信される無線フレームの中の少なくとも一つの半動的配置フレキシブルサブフレームの中のそれぞれの固定配置タイムスロットの位置、占用情報、および、時間長さの構成情報を、受信するステップと、
第２の設定周期の間隔で、基地局によって送信される無線フレームの中の少なくとも一つの半動的配置フレキシブルサブフレームの中のそれぞれのフレキシブル配置タイムスロットの位置、占用情報、および、時間長さの構成情報を、受信するステップと、を含み、
前記第１の設定周期は、第２の設定周期よりも、長い。
【００１８】
本開示の実施例の第３の態様によると、データ伝送装置を提供し、前記装置は、
時分割複信ＴＤＤ無線フレームに含まれた少なくとも一つのフレキシブルサブフレームの構成情報を確定するための確定モジュールであって、前記フレキシブルサブフレームは、少なくとも一つのアップリンク伝送シンボルと少なくとも一つのダウンリンク伝送シンボルとを含むように構成され、アップリンク伝送シンボルとダウンリンク伝送シンボルとによって占用されたサブタイムスロットは、交互に配置される、確定モジュールと、
確定された前記少なくとも一つのフレキシブルサブフレームの構成情報を、シグナリングを使用して、ユーザ機器（ＵＥ）に送信するための送信モジュールと、
確定された前記少なくとも一つのフレキシブルサブフレームの構成情報に基づいて、アップリンク伝送シンボルが位置するサブタイムスロットで、アップリンクデータを受信し、ダウンリンク伝送シンボルが位置するサブタイムスロットで、ダウンリンクデータを送信するための伝送モジュールと、を備える。
【００１９】
一実施例において、前記確定モジュールは、
前記フレキシブルサブフレームの中のガード間隔の構成情報を確定するための第１の確定サブモジュールを備え、前記ガード間隔は、ダウンリンク伝送シンボルが、アップリンク伝送シンボルに転換される際に、前記ダウンリンク伝送シンボルとアップリンク伝送シンボルとの間に、位置する。
【００２０】
一実施例において、前記第１の確定サブモジュールは、ガード間隔が、ダウンリンク伝送シンボルが、一つのフレキシブルサブフレーム内で、アップリンク伝送シンボルに転換される際に、前記ダウンリンク伝送シンボルとアップリンク伝送シンボルとの間に、位置しているか、それとも、前記ガード間隔が、ダウンリンク伝送シンボルが、隣接するフレキシブルサブフレームとの間で、アップリンク伝送シンボルに転換される際に、前記ダウンリンク伝送シンボルとアップリンク伝送シンボルとの間に、位置しているかを、確定する。
【００２１】
一実施例において、前記確定モジュールは、第２の確定サブモジュールをさらに備え、その中、
前記第２の確定サブモジュールは、それぞれのフレキシブルサブフレーム毎に、それぞれのアップリンク伝送シンボルによって占用されたサブタイムスロットの位置および時間長さと、それぞれのダウンリンク伝送シンボルによって占用されたサブタイムスロットの位置および時間長さとを、確定し、
前記第１の確定サブモジュールは、前記フレキシブルサブフレームがガード間隔をさらに含むように構成されると、前記ガード間隔によって占用されたサブタイムスロットの位置および時間長さを、確定する。
【００２２】
一実施例において、前記少なくとも一つのフレキシブルサブフレームは、動的配置フレキシブルサブフレームを含み、前記確定モジュールは、動的配置フレキシブルサブフレームの中のそれぞれのサブタイムスロットの位置、占用情報、および、時間長さを、周期的に、確定する。
【００２３】
一実施例において、前記少なくとも一つのフレキシブルサブフレームは、半動的配置フレキシブルサブフレームを含み、前記半動的配置フレキシブルサブフレームは、固定配置タイムスロットとフレキシブル配置タイムスロットとを含み、前記確定モジュールは、第１の設定周期の間隔で、半動的配置フレキシブルサブフレームの中のそれぞれの固定配置タイムスロットの位置、占用情報、および、時間長さを、確定し、第２の設定周期の間隔で、半動的配置フレキシブルサブフレームの中のそれぞれのフレキシブル配置タイムスロットの位置、占用情報、および、時間長さを、確定し、前記第１の設定周期は、第２の設定周期よりも、長い。
【００２４】
一実施例において、前記シグナリングは、ブロードキャストシグナリング、ＲＲＣシグナリング、および、物理層シグナリングを、含む。
【００２５】
本開示の実施例の第４の態様によると、もう一データ伝送装置を提供し、前記装置は、
基地局によって送信される時分割複信ＴＤＤ無線フレームに含まれた少なくとも一つのフレキシブルサブフレームの構成情報を受信するための受信モジュールであって、前記フレキシブルサブフレームは、少なくとも一つのアップリンク伝送シンボルと少なくとも一つのダウンリンク伝送シンボルとを含むように構成され、アップリンク伝送シンボルとダウンリンク伝送シンボルとによって占用されたサブタイムスロットは、交互に配置される、受信モジュールと、
前記ＴＤＤ無線フレームに含まれた少なくとも一つのフレキシブルサブフレームの構成情報に基づいて、アップリンク伝送シンボルが位置するサブタイムスロットで、アップリンクデータを送信し、ダウンリンク伝送シンボルが位置するサブタイムスロットで、ダウンリンクデータを受信するための伝送モジュールと、を備える。
【００２６】
一実施例において、前記受信モジュールは、前記フレキシブルサブフレームの中のガード間隔の構成情報を受信し、前記ガード間隔は、ダウンリンク伝送シンボルが、アップリンク伝送シンボルに転換される際に、前記ダウンリンク伝送シンボルとアップリンク伝送シンボルとの間に、位置する。
【００２７】
一実施例において、前記受信モジュールは、さらに、フレキシブルサブフレームのガード間隔の構成情報を受信し、前記ガード間隔が、ダウンリンク伝送シンボルが、一つのフレキシブルサブフレーム内で、アップリンク伝送シンボルに転換される際に、前記ダウンリンク伝送シンボルとアップリンク伝送シンボルとの間に位置したり、または、前記ガード間隔が、ダウンリンク伝送シンボルが、隣接するフレキシブルサブフレームとの間で、アップリンク伝送シンボルに転換される際に、前記ダウンリンク伝送シンボルとアップリンク伝送シンボルとの間に位置する。
【００２８】
一実施例において、前記少なくとも一つのフレキシブルサブフレームは、動的配置フレキシブルサブフレームを含み、前記受信モジュールは、基地局によって送信されるＴＤＤ無線フレームの中の少なくとも一つの動的配置フレキシブルサブフレームの構造情報を、周期的に、受信し、前記動的配置フレキシブルサブフレームの中のそれぞれのサブタイムスロットの位置、占用情報、および、時間長さは、周期的に、動的に配置される。
【００２９】
一実施例において、前記少なくとも一つのフレキシブルサブフレームは、半動的配置フレキシブルサブフレームを含み、前記半動的配置フレキシブルサブフレームは、固定配置タイムスロットとフレキシブル配置タイムスロットとを含み、前記受信モジュールは、第１の設定周期の間隔で、基地局によって送信される無線フレームの中の少なくとも一つの半動的配置フレキシブルサブフレームの中のそれぞれの固定配置タイムスロットの位置、占用情報、および、時間長さの構成情報を、受信し、第２の設定周期の間隔で、基地局によって送信される無線フレームの中の少なくとも一つの半動的配置フレキシブルサブフレームの中のそれぞれのフレキシブル配置タイムスロットの位置、占用情報、および、時間長さの構成情報を、受信すし、前記第１の設定周期は、第２の設定周期よりも、長い。
【００３０】
本開示の実施例の第５の態様によると、データ伝送装置を提供し、前記装置は、
プロセッサと、
前記プロセッサの実行可能命令を記憶するためのメモリと、を備え、
その中、前記プロセッサは、上記の第１の態様によって提供されるデータ伝送方法を実行するように構成される。
【００３１】
本開示の実施例の第６の態様によると、記録媒体を提供し、前記記録媒体には、コンピュータプログラムが記録されており、前記プログラムは、本開示の実施例の第１の態様に記載されたデータ伝送方法を実行するための命令を含む。
【００３２】
本開示の実施例の第７の態様によると、コンピュータプログラムを提供し、前記コンピュータプログラムがコンピュータによって実行されると、前記プログラムは、本開示の実施例の第１の態様に記載されたデータ伝送方法を実行するための命令を含む。
【００３３】
本開示の実施例の第８の態様によると、データ伝送装置を提供し、前記装置は、
プロセッサと、
前記プロセッサの実行可能命令を記憶するためのメモリと、を備え、
その中、前記プロセッサは、上記の第２の態様によって提供されるデータ伝送方法を実行するように構成される。
【００３４】
本開示の実施例の第９の態様によると、記録媒体を提供し、前記記録媒体には、コンピュータプログラムが記録されており、前記プログラムは、本開示の実施例の第２の態様に記載されたデータ伝送方法を実行するための命令を含む。
【００３５】
本開示の実施例の第１０の態様によると、コンピュータプログラムを提供し、前記コンピュータプログラムがコンピュータによって実行されると、前記プログラムは、本開示の実施例の第２の態様に記載されたデータ伝送方法を実行するための命令を含む。
【００３６】
本開示の実施例によって提供される技術案は、以下のような有益な効果を含む。
【００３７】
本開示の実施例によって提供されるデータ伝送方法、装置、コンピュータプログラム、および、記録媒体によると、まず、ＴＤＤ無線フレームに含まれた少なくとも一つのフレキシブルサブフレームの構成情報を確定し、ここで、当該フレキシブルサブフレームは、少なくとも一つのアップリンク伝送シンボルと少なくとも一つのダウンリンク伝送シンボルとを含むように構成され、アップリンク伝送シンボルとダウンリンク伝送シンボルとによって占用されたサブタイムスロットは、交互に配置され、続いて、確定された少なくとも一つのサブフレームの構成情報を、シグナリングを使用して、ＵＥに送信し、その後、当該フレキシブルサブフレームの構成情報に基づいて、アップリンクデータ／ダウンリンクデータの伝送を実行することによって、関連技術でのＴＤＤ無線フレームのサブフレームの構成方式である、一つのサブフレーム（アップリンクサブフレーム又はダウンリンクサブフレーム）内に同一のタイプの伝送シンボルのみを含む（アップリンクサブフレームは、アップリンク伝送シンボルのみを含み、ダウンリンクサブフレームは、ダウンリンク伝送シンボルのみを含む）方式と、比較すると、一つのサブフレーム内のアップリンク伝送シンボルとダウンリンク伝送シンボルとの配置が実現できるため、ユーザ機器のＡＣＫ／ＮＡＣＫなどの確認メッセージのフィードバックを迅速に行うことができて、伝送遅延をより良く低減した。
【００３８】
本開示の実施例によると、ガード間隔（ＧＰ）が、ダウンリンク伝送シンボルが、一つのフレキシブルサブフレーム内で、アップリンク伝送シンボルに転換される際に、ダウンリンク伝送シンボルとアップリンク伝送シンボルとの間に位置するように配置されるか、或いは、ガード間隔が、ダウンリンク伝送シンボルが、隣接するフレキシブルサブフレーム同士の間で、アップリンク伝送シンボルに転換される際に、ダウンリンク伝送シンボルとアップリンク伝送シンボルとの間に位置するように配置されるため、ＧＰの設置方式が非常に柔軟になり、また、ＧＰの設置（ＧＰを、ダウンリンクがアップリンクに転換する時間に位置するようにする）によって、一方では、アップリンク信号に対するダウンリンク信号の干渉を避けることができ、もう一方では、ＧＰの存在によって、複数のＵＥが存在する際の各ＵＥ同士の間の同期が確保できて、データを伝送する際のふさぎを避けて、データ伝送効率を向上させた。
【００３９】
もう一方では、本開示の実施例によって提供されるデータ伝送方法によると、フレキシブルサブフレームを、完全に動的に配置するか、もしくは、半動的に配置することができることで、ＴＤＤサブフレームの構成がもっと柔軟になり、異なるサービス、ネットワークカバレッジ、ネットワーク容量、および、ネットワーク干渉などの要因によって、再配置することができて、ＴＤＤのアップリンク／ダウンリンクの非対称サービスのニーズを十分に満足させた。
【００４０】
また、半動的に配置されたフレキシブルサブフレーム構造は、動的配置フレキシブルサブフレームと比較して、データ伝送における制御シグナリングオーバヘッドをより良く節約でき、干渉を排除する際に、どのシンボルが干渉をもたらす可能があるかをより良く確定することができる。
【００４１】
なお、前記一般的な記載及び後述の詳細な記載は、単なる例示的で解釈的な記載であり、本開示を限定しないと理解すべきである。
【図面の簡単な説明】
【００４２】
ここの図面は、明細書に組み入れて本明細書の一部分を構成し、本開示に係る実施例を説明するためのものである。当該図面は明細書とともに本開示の原理を解釈するのに利用される。
【図１】例示的な一実施例に係るデータ伝送方法を示すフローチャートである。
【図２】関連技術のＴＤＤ無線フレームの構造を示す模式図である。
【図３】関連技術のＴＤＤ無線フレームの２種の通常サブフレームの構造を示す模式図である。
【図４】例示的な一実施例に係るＴＤＤ無線フレームの例の構造を示す模式図である。
【図５Ａ】例示的な一実施例に係るフレキシブルサブフレームの例の構造を示す模式図である。
【図５Ｂ】例示的な一実施例に係るフレキシブルサブフレームの例の構造を示す模式図である。
【図６】例示的な一実施例に係る半動的配置フレキシブルサブフレームの構成情報を確定することを示すフローチャートである。
【図７】例示的なもう一実施例に係るデータ伝送方法を示すフローチャートである。
【図８】例示的な一実施例に係るデータ伝送装置を示すブロック図である。
【図９】例示的な一実施例に係る確定モジュール８１を示すブロック図である。
【図１０】例示的なもう一実施例に係るデータ伝送装置を示すブロック図である。
【図１１】例示的な一実施例に係るデータ伝送に適用される装置を示すブロック図である。
【発明を実施するための形態】
【００４３】
ここで、例示的な実施例を詳細に説明する。また、説明中の例は、図面に示している。以下の説明において、図面が言及される際に特に説明しない場合、異なる図面中の同一の符号は、同一或は類似な要素を意味する。以下の例示的な実施例において説明する実施方法は、本開示に合致するすべての実施方法を代表しない。逆に、それらは、添付の特許請求の範囲において詳細に記述された、本開示のいくつかの態様と合致する装置、及び方法の例に過ぎない。
【００４４】
以下の少なくとも一つの例示的な実施例の記載は、実際ではただ説明するためのものであり、決して、本開示及びその応用又は使用に対して制限するものではない。
【００４５】
当業者に知られている技術、方法、および機器については論じないことができるが、適切な場合には、技術、方法、および機器を明細書の一部とみなすべきである。
【００４６】
ここで示して議論されるすべての例において、任意の具体的な値は、ただ例示的なものとして解釈されるべきであり、限定するためのものとして解釈されてはいけない。したがって、例示的な実施例の他の例は、異なる値を有することができる。
【００４７】
以下の図面において類似な符号および文字は類似項を示しているので、ある項目が一つの図面で一旦定義されると、以降の図面ではそれ以上議論する必要がないことに留意されたい。
【００４８】
本開示の実施例によって提供されるデータ伝送方法は、無線伝送を実行する両側である基地局（例えば、ＮｏｄｅＢである）とユーザ機器（ＵＥ：Ｕｓｅｒ  Ｅｑｕｉｐｍｅｎｔ）とに関する。基地局とＵＥとの間は、ＴＤＤ時分割複信（ＴＤＤ：Ｔｉｍｅ  Ｄｉｖｉｓｉｏｎ  Ｄｕｐｌｅｘｉｎｇ）の方式によって、通信を実行し、基地局とＵＥとは、異なるアップリンクタイムスロットとダウンリンクタイムスロットとで、アップリンクデータおよびダウンリンクデータの伝送を実行する。
【００４９】
本開示の実施例は、データ伝送方法を提供し、図１を参照すると、基地局側において、当該方法は、ステップＳ１０１〜ステップＳ１０３を含む。
【００５０】
ステップＳ１０１において、ＴＤＤ無線フレームに含まれた少なくとも一つのフレキシブルサブフレーム（Ｆｌｅｘｉｂｌｅ  ｓｕｂｆｒａｍｅ）の構成情報を確定し、ここで、前記フレキシブルサブフレームは、少なくとも一つのアップリンク伝送シンボルと少なくとも一つのダウンリンク伝送シンボルとを含むように構成され、アップリンク伝送シンボルとダウンリンク伝送シンボルとによって占用されたサブタイムスロットは、交互に配置される。
【００５１】
ステップＳ１０２において、確定された前記少なくとも一つのフレキシブルサブフレームの構成情報を、シグナリングを使用して、ユーザ機器（ＵＥ：Ｕｓｅｒ  Ｅｑｕｉｐｍｅｎｔ）に送信する。
【００５２】
ステップＳ１０３において、確定された前記少なくとも一つのフレキシブルサブフレームの構成情報に基づいて、アップリンク伝送シンボルが位置するサブタイムスロットで、アップリンクデータを受信し、ダウンリンク伝送シンボルが位置するサブタイムスロットで、ダウンリンクデータを送信する。
【００５３】
本開示の実施例によって提供される上記のデータ伝送方法によると、伝送に使用するＴＤＤ無線フレームに含まれた少なくとも一つのフレキシブルサブフレームは、少なくとも一つのアップリンク伝送シンボルと少なくとも一つのダウンリンク伝送シンボルとを含むように構成され、アップリンク伝送シンボルとダウンリンク伝送シンボルとによって占用されたサブタイムスロットは、交互に配置される。このようなフレキシブルサブフレームは、関連技術でのＴＤＤ無線フレームのサブフレームの構成方式である、一つのサブフレーム（アップリンクサブフレーム又はダウンリンクサブフレーム）内に同一のタイプの伝送シンボルのみを含む（アップリンクサブフレームは、アップリンク伝送シンボルのみを含み、ダウンリンクサブフレームは、ダウンリンク伝送シンボルのみを含む）方式と、比較すると、一つのサブフレーム内でアップリンク伝送シンボルとダウンリンク伝送シンボルとの配置が実現できるため、ユーザ機器の確認メッセージのフィードバックを迅速に行うことができて、伝送遅延を低減する同時に、接続可能なＵＥの数を倍に増加させることができる。
【００５４】
一実施例において、上記のステップＳ１０１において、確定されたフレキシブルサブフレームの構造には、一つ又は複数のアップリンク伝送シンボルと、一つ又は複数のダウンリンク伝送シンボルとが、含まれ、且つ、すべてのアップリンク伝送シンボルとダウンリンク伝送シンボルとによって占用されたサブタイムスロットは、互いに交互に設置されていてもよい。フレキシブルサブフレームは、関連技術でのＴＤＤサブフレームと区別される新たな方式のサブフレームであり、その内部には、互いに交互に転換されるアップリンク伝送シンボルとダウンリンク伝送シンボルとによって占用されるサブタイムスロットが、含まれている。
【００５５】
以下、本発明の実施例によって提供されるデータ伝送方法をもっと明確に説明するために、まず、関連技術でのＴＤＤ無線フレームの構造を簡単に説明する。
【００５６】
関連技術で、ＴＤＤ模式とは、アップリンク／ダウンリンクで一つの動作周波数帯域を使用して、異なる時間間隔で、アップリンク／ダウンリンク信号の伝送を実行することを指す。ＴＤＤシステムの無線フレームのフレーム構造は、図２を参照すると、１個の無線フレームの長さが１０ｍｓであり、２種のサブフレームを含み、即ち、特殊サブフレームおよび通常サブフレームの２種のサブフレームを合計１０個含み、各サブフレームの長さが１ｍｓであり、通常サブフレームはアップリンクサブフレーム（文字Ｕで示す）とダウンリンクサブフレーム（文字Ｄで示す）とを含む。特殊サブフレーム（文字Ｓで示す）は、３個のタイムスロットを含み、即ち、ＤｗＰＴＳ（ダウンリンクパイロットタイムスロット）、ＧＰ（ガード間隔）、および、ＵｐＰＴＳ（アップリンクパイロットタイムスロット）を含み、その中、アップリンク／ダウンリンクサブフレームは、アップリンク／ダウンリンク制御シグナリングとサービスデータとを伝送するように構成される。図２に示したのは、七つの可能なサブフレームの配合比率方式である。
【００５７】
関連技術で、図３に示したように、一つのアップリンクサブフレームまたは一つのダウンリンクサブフレーム内には、同一のタイプのシンボルのみが含まれ、例えば、図３のダウンリンクサブフレーム内には、ダウンリンク伝送シンボル（数字１で示す）のみが含まれ、図３のアップリンクサブフレーム内には、アップリンク伝送シンボル（数字０で示す）のみが含まれる。関連技術でのＴＤＤ無線フレームの構造によると、一つのアップリンクサブフレーム又はダウンリンクサブフレーム自身が１ｍｓ持続されるので、このようになると、例えば、ＵＥがＡＣＫ／ＮＡＣＫ（確認／否定）のメッセージを送信し、ＮｏｄｅＢが当該メッセージに基づいてデータを再送信する時間及び方式を確定するシナリオでは、ＮｏｄｅＢが、ＵＥのＡＣＫ／ＮＡＣＫの送信を待つのに、数ｍｓ以上が遅延される可能性がある。図２の第２の方式であるＤ／Ｄ／Ｄ／Ｓ／Ｕを例として、３個のダウンリンクサブフレームに一つのアップリンクサブフレームが配置され、このような方式を採用してデータを伝送する場合、ＮｏｄｅＢは、３個のダウンリンクサブフレームをダウンリンク送信してから、一つのタイムスロットを経ることで、一つのアップリンクサブフレームを受信することができるため、この期間の遅延は４ｍｓ以上になる。したがって、関連技術では、ＵＲＬＬＣの１ｍｓ以内のレイテンシ要件を、満足させることができない。
【００５８】
本開示の実施例によって提供される上記のデータ伝送方法は、上記の問題を解決して伝送レイテンシを低減するために、関連技術でのアップリンクサブフレームとダウンリンクサブフレームとの構造を改善して、一つのサブフレーム内でアップリンク／ダウンリンク伝送シンボルに対応されるサブタイムスロットの配置を、柔軟に実現できるようにすることで、ＵＥによってより短い時間内（少なくとも１ｍｓよりも短い）でＡＣＫ／ＮＡＣＫのメッセージのフィードバックを実行することができるようにして、伝送遅延を大幅に低減させる。
【００５９】
基地局は、サービス、ネットワーク容量、及び、干渉などの状況によって、ＴＤＤ無線フレームのフレキシブルサブフレーム内のアップリンク伝送シンボルとダウンリンク伝送シンボルとの位置および長さを、設置してもよい。フレキシブルサブフレームの総長さは、予め設定された長さを維持すればよく、例えば、１ｍｓを維持する。
【００６０】
具体的に実施する際に、関連技術でのＴＤＤ無線フレーム内の通常サブフレーム（アップリンクサブフレームとダウンリンクサブフレームとを含む）の全部または一部を、本開示の実施例によって提供されるフレキシブルサブフレームの構造に、置き換えてもよい。関連技術での特殊サブフレームの構造に対しては、変更させない。例えば、一部は、図２のＤサブフレーム又はＵサブフレームの構造を維持し（各サブフレームはいずれも同一のタイプの伝送シンボルを含む）、もう一部は、本開示の実施例によって提供されるフレキシブルサブフレームの構造を採用するか、或いは、ＴＤＤ無線フレーム内のすべての通常サブフレームの構造を、いずれも、本発明の実施例によって提供されるフレキシブルサブフレームの構造に、置き換える。
【００６１】
一例として、図２の第２の方式を採用すると、その中のＵとＤの位置の８個のサブフレームは、いずれも、本開示の実施例によって提供される上記のサブフレームの構造を、採用してもよく、また、これら８個のサブフレームの構造は、互いに同一でもよいし、異なってもよい。或いは、図４に示したように、８個のサブフレーム内の５個は、フレキシブルサブフレームの構造を採用し、他の幾つかのサブフレームの構造は、関連技術と同一にしてもよい。
【００６２】
本開示の例示的な実施例の一方式において、上記のステップ１０１において、ＴＤＤ無線フレーム内の前記フレキシブルサブフレームの構成情報を確定するステップは、さらに、フレキシブルサブフレーム内にガード間隔（ＧＰ：Ｇｕａｒｄ  Ｐｅｒｉｏｄ）を設置するステップを含んでもよく、ここで、当該ガード間隔は、ダウンリンク伝送シンボルが、アップリンク伝送シンボルに転換される際に、ダウンリンク伝送シンボルとアップリンク伝送シンボルとの間に、位置する。
【００６３】
一実施例において、一つのフレキシブルサブフレームは、ダウンリンク伝送シンボルがアップリンク伝送シンボルに転換される時間に、ダウンリンク伝送シンボルと隣接するアップリンク伝送シンボルとの間に、ガード間隔が設置されてもよい。
【００６４】
一つのサブフレーム内で、時間順序に従って、ダウンリンク伝送シンボルがアップリンク伝送シンボルに転換される（当該アップリンク伝送シンボルがダウンリンク伝送シンボルの直後に位置する）と、ダウンリンク伝送シンボルとこのダウンリンク伝送シンボルの直後に位置するアップリンク伝送シンボルとの間に、ガード間隔を設置する必要がある。ダウンリンク伝送シンボルがアップリンク伝送シンボルに転換する時間にＧＰを位置させることによって、一方では、アップリンク信号に対するダウンリンク信号の干渉を保護する役割を果たし、もう一方では、ＧＰの存在によって、複数のＵＥが存在する際の各ＵＥ同士の間の同期を確保できて、データを伝送する際のふさぎを避けて、データ伝送効率を向上させた。
【００６５】
本開示の実施例によって提供されるＴＤＤ無線フレームの構造は、その中のフレキシブルサブフレームの構造はアップリンクとダウンリンクとの交互の転換を満足させて、ダウンリンク伝送シンボルがアップリンク伝送シンボルに転換される時間に、ＧＰを設置すればよい。本開示の実施例は、各フレキシブルサブフレーム内のアップリンク伝送シンボル、ダウンリンク伝送シンボル、及び、ＧＰの位置および長さに対して、限定しない。サービスニーズ、ネットワークカバレッジ、容量、及び、干渉などの状況によって、総合的に確定してもよい。
【００６６】
一つの例示的なフレキシブルサブフレームの構造は、図５Ａに示したように、フレキシブルサブフレームは、３個のＧＰを含み、それぞれ、３個のダウンリンクサブフレームがアップリンクサブフレームに転換される時間に位置する。
【００６７】
もう一つの実施例において、ガード間隔は、ダウンリンク伝送シンボルが、隣接するフレキシブルサブフレーム同士の間で、アップリンク伝送シンボルに転換される際に、ダウンリンク伝送シンボルとアップリンク伝送シンボルとの間に、位置するように、構成される。
【００６８】
一例として、本開示の例示的な実施例に係る一方式において、現在のフレキシブルサブフレームの前の一つのサブフレームの尾部がダウンリンク伝送シンボル（前の一つのサブフレームは、関連技術での通常ダウンリンクサブフレーム、または、本開示の実施例のフレキシブルサブフレームである）であり、且つ、現在のフレキシブルサブフレームの頭部がアップリンク伝送シンボルである場合、現在のフレキシブルサブフレームの頭部のアップリンク伝送シンボルの前に、ガード間隔を設置してもよい。
【００６９】
本開示の実施例においては、一つのフレキシブルサブフレーム内部のそれぞれの伝送シンボル同士の間にガード間隔を設置する問題を検討する必要があるほか、さらに、フレキシブルサブフレームとフレキシブルサブフレームとの間、および、フレキシブルサブフレームと関連技術での通常サブフレームとの間に、ガード間隔を設置する問題を検討する必要がある。このような場合、前の一つのサブフレームが関連技術でのダウンリンクサブフレームであるか（全部がいずれもダウンリンク伝送シンボルである）、或いは、前の一つのサブフレーム尾部の伝送シンボルがダウンリンク伝送シンボルであると、現在のフレキシブルサブフレームの頭部である、初めに出現するアップリンク伝送シンボルの前に、ガード間隔を設置する必要がある。
【００７０】
一つの例示的なフレキシブルサブフレームの構造は、図５Ｂに示したように、フレキシブルサブフレームの頭部は、ＧＰであり、これ以外に、２個のＧＰをさらに含み、形は図５Ａの形に似ているし、ここでは繰り返して説明しない。
【００７１】
本開示の実施例によって提供されるデータ伝送方法において、確定されたフレキシブルサブフレームの構造は、図５Ａおよび図５Ｂのこの２種に限定されなく、上記の構成原理に合致されるいろんな形式であればよく、本開示の実施例はこれらに対して限定しない。
【００７２】
一つのフレキシブルサブフレーム内部の異なるＧＰ同士の間は、その長さは、同一でもよいし、異なってもよく、アップリンク伝送シンボルとダウンリンク伝送シンボルとの長さによって確定される。
【００７３】
一実施例において、上記の少なくとも一つのフレキシブルサブフレームは、動的配置フレキシブルサブフレームを含んでもよく、これに応じて、上記のステップＳ１０１において、動的配置フレキシブルサブフレームの中のそれぞれのサブタイムスロットの位置、占用情報、および、時間長さを、周期的に、確定するように実施してもよい。
【００７４】
動的配置フレキシブルサブフレームとは、当該フレキシブルサブフレームの各部分が、いずれも、複数の周期内で、配置および再配置されてもよいことを意味する。
【００７５】
動的配置フレキシブルサブフレームは、各周期内で、フレキシブルサブフレーム内のアップリンク伝送シンボル、ダウンリンク伝送シンボルと、ＧＰの位置、長さ、および、配合比率とが、再び、完全に変更されてもよい。すべてのアップリンク伝送シンボル、ダウンリンク伝送シンボルと、ＧＰの長さ、位置、および、配合比率は、いずれも、動的に変化されてもよい。
【００７６】
一実施例において、上記の少なくとも一つのフレキシブルサブフレームは、半動的配置フレキシブルサブフレームを含んでもよく、当該半動的配置フレキシブルサブフレームは、固定配置タイムスロットとフレキシブル配置タイムスロットとを含んでもよく、これに応じて、上記のステップＳ１０１は、図６に示したように、
ステップＳ６０１において、第１の設定周期の間隔で、半動的配置フレキシブルサブフレームの中のそれぞれの固定配置タイムスロットの位置、占用情報、および、時間長さを、確定し、
ステップＳ６０２において、第２の設定周期の間隔で、半動的配置フレキシブルサブフレームの中のそれぞれのフレキシブル配置タイムスロットの位置、占用情報、および、時間長さを、確定し、
上記の第１の設定周期は、第２の設定周期よりも、長くするように実施してもよい。
【００７７】
固定配置タイムスロットとフレキシブル配置タイムスロットとの構成周期は、互いに異なり、これに応じて、ステップＳ１０２において、各固定配置タイムスロットの位置、占用情報、および、時間長さを確定した後に、これら固定配置タイムスロットの位置、占用情報、および、時間長さの情報を、予め設定されたシグナリングを使用して、ＵＥに送信する必要があり、同様に、各フレキシブル配置タイムスロットの位置、占用情報、および、時間長さを確定した後に、これら固定配置タイムスロットの位置、占用情報、および、時間長さの情報を、予め設定されたシグナリングを使用して、ＵＥに送信する必要がある。
【００７８】
一つの極端な例において、固定配置タイムスロットの周期が無限大である場合、１回配置すると、以降は変更されなく、より短い周期内でフレキシブル配置タイムスロットを不断に変更すればよい。
【００７９】
上記のステップＳ１０２において、予め設定されたシグナリングは、様々な種類があり、例えば、ブロードキャストシグナリング、無線リソース制御（ＲＲＣ：Ｒａｄｉｏ  Ｒｅｓｏｕｒｃｅ  Ｃｏｎｔｒｏｌ）シグナリング、および、物理層シグナリングの中の、いずれか一つであってもよい。当然ながら、本開示の実施例は、上記の幾つかの種類のシグナリングに限定されない。
【００８０】
周期の長さは、採用するシグナリングの周期に基づいて決めてもよく、例えば、ブロードキャストシグナリング構成の周期は、約６４０ｍｓぐらいであって、より長く、ＲＲＣシグナリングの構成周期は、約１００ｍｓ−２００ｍｓぐらいであって、普通であり、物理層シグナリングの構成周期は、１０ｍｓであるか、さらにはもっと短くて、最も短い。
【００８１】
上記のステップＳ６０１とＳ６０２において、より短い周期内で、配置によってフレキシブルサブフレーム内の非固定配置タイムスロットの位置、占用情報、および、時間長さを変更することで、これら周期内で、フレキシブルサブフレーム内の非配置タイムスロットの構造のみを変更し、また、変更されたこれら部分の構造情報のみを、ＵＥに送信すればよい。これに対し、相対的により長い周期内で、フレキシブルサブフレーム内の固定配置タイムスロットの位置、占用情報、および、時間長さを変更する場合、動的配置フレキシブルサブフレームの方式と比較すると、このようなデータ伝送方法は、制御シグナリングのオーバヘッドを、一定の程度節約することができ、また、干渉を排除する過程で、どのシンボルが干渉をもたらす可能があるかをより良く把握することができるが、柔軟性がより悪い。
【００８２】
第１の設定周期は第２の設定周期よりも長いため、上記のステップＳ６０１で採用するシグナリングと、Ｓ６０２で採用するシグナリングとは、常に、周期が異なるシグナリングである。一例として、例えば、ブロードキャストシグナリングを使用して、フレキシブルサブフレーム内の固定配置タイムスロットの部分の構造を送信すると、６４０ｍｓぐらいで、１回再配置することになり、フレキシブルサブフレーム内の非固定配置タイムスロットの部分を送信すると、より短い周期のシグナリングを採用して配置する。例えば、物理層シグナリングを使用して、１０ｍｓ、さらにはもっと短いと、１回配置することができ、非固定配置タイムスロットの部分の構成が必要とするシグナリングが、もっとも短い。全体的に見ると、方式一と比較すると、シグナリングオーバヘッドをもっと節約することができる。
【００８３】
本開示の実施例は、もう一データ伝送方法を提供し、図７を参照すると、ＵＥ側において、当該方法は、ステップＳ７０１〜ステップＳ７０２を含む。
【００８４】
ステップＳ７０１において、基地局によって送信される時分割複信ＴＤＤ無線フレームに含まれた少なくとも一つのフレキシブルサブフレームの構成情報を受信し、ここで、前記フレキシブルサブフレームは、少なくとも一つのアップリンク伝送シンボルと少なくとも一つのダウンリンク伝送シンボルとを含むように構成され、アップリンク伝送シンボルとダウンリンク伝送シンボルとによって占用されたサブタイムスロットは、交互に配置される。
【００８５】
ステップＳ７０２において、前記ＴＤＤ無線フレームに含まれた少なくとも一つのフレキシブルサブフレームの構成情報に基づいて、アップリンク伝送シンボルが位置するサブタイムスロットで、アップリンクデータを送信し、ダウンリンク伝送シンボルが位置するサブタイムスロットで、ダウンリンクデータを受信する。
【００８６】
本開示の実施例によって提供される上記のデータ伝送方法によると、ＵＥは、基地局によって送信されたＴＤＤ無線フレーム内に含まれたフレキシブルサブフレームの構成情報を受信し、当該フレキシブルサブフレーム内には、少なくとも一つのアップリンク伝送シンボルと、少なくとも一つのダウンリンク伝送シンボルとが、含まれ、アップリンク伝送シンボルとダウンリンク伝送シンボルとによって占用されたサブタイムスロットは、交互に配置される。このようなフレキシブルサブフレームは、関連技術でのＴＤＤ無線フレームのサブフレームの構成方式である、一つのサブフレーム（アップリンクサブフレーム又はダウンリンクサブフレーム）内に同一のタイプの伝送シンボルのみを含む（アップリンクサブフレームは、アップリンク伝送シンボルのみを含み、ダウンリンクサブフレームは、ダウンリンク伝送シンボルのみを含む）方式と、比較すると、一つのサブフレーム内でアップリンク伝送シンボルとダウンリンク伝送シンボルとの配置が実現できるため、ユーザ機器の確認メッセージのフィードバックを迅速に行うことができて、伝送遅延を低減する同時に、接続可能なＵＥの数を倍に増加させることができる。
【００８７】
一実施例において、上記のフレキシブルサブフレームは、ガード間隔をさらに含むように構成され、ガード間隔は、ダウンリンク伝送シンボルが、アップリンク伝送シンボルに転換される際に、ダウンリンク伝送シンボルとアップリンク伝送シンボルとの間に、位置する。
【００８８】
フレキシブルサブフレームのガード間隔の具体的な実施形態は、基地局側のデータ伝送方法を参照することができ、ここでは繰り返して説明しない。
【００８９】
一実施例において、前記ガード間隔は、ダウンリンク伝送シンボルが、一つのフレキシブルサブフレーム内で、アップリンク伝送シンボルに転換される際に、前記ダウンリンク伝送シンボルとアップリンク伝送シンボルとの間に、位置するように配置されるか、或いは、
前記ガード間隔は、ダウンリンク伝送シンボルが、隣接するフレキシブルサブフレームとの間で、アップリンク伝送シンボルに転換される際に、前記ダウンリンク伝送シンボルとアップリンク伝送シンボルとの間に、位置するように配置される。
【００９０】
一実施例において、上記の少なくとも一つのフレキシブルサブフレームは、動的配置フレキシブルサブフレームを含み、これに応じて、上記のＳ７０１における基地局によって送信されるＴＤＤ無線フレームに含まれた少なくとも一つのフレキシブルサブフレームの構成情報を受信することは、
基地局によって送信されるＴＤＤ無線フレームの中の少なくとも一つの動的配置フレキシブルサブフレームの構造情報を、周期的に、受信するように実施してもよく、動的配置フレキシブルサブフレームの中のそれぞれのサブタイムスロットの位置、占用情報、および、時間長さは、周期的に、動的に配置される。
【００９１】
一実施例において、上記の少なくとも一つのフレキシブルサブフレームは、半動的配置フレキシブルサブフレームを含み、半動的配置フレキシブルサブフレームは、固定配置タイムスロットとフレキシブル配置タイムスロットとを含み、これに応じて、上記のＳ７０１における基地局によって送信されるＴＤＤ無線フレームに含まれた少なくとも一つのフレキシブルサブフレームの構成情報を受信することは、
第１の設定周期の間隔で、基地局によって送信される無線フレームの中の少なくとも一つの半動的配置フレキシブルサブフレームの中のそれぞれの固定配置タイムスロットの位置、占用情報、および、時間長さの構成情報を、受信し、
第２の設定周期の間隔で、基地局によって送信される無線フレームの中の少なくとも一つの半動的配置フレキシブルサブフレームの中のそれぞれのフレキシブル配置タイムスロットの位置、占用情報、および、時間長さの構成情報を、受信し、
上記の第１の設定周期は、第２の設定周期よりも、長くするように実施してもよい。
【００９２】
以下は、本開示の装置の実施例であり、上記の本開示のデータ伝送方法の実施例を実行することができる。
【００９３】
図８は、本開示の例示的な実施例に係るデータ伝送装置のブロック図であり、当該装置は、基地局に用いられ、確定モジュール８１と送信モジュール８２と伝送モジュール８３と、を備える。
【００９４】
確定モジュール８１は、時分割複信ＴＤＤ無線フレームに含まれた少なくとも一つのフレキシブルサブフレームの構成情報を確定するように構成され、ここで、前記フレキシブルサブフレームは、少なくとも一つのアップリンク伝送シンボルと少なくとも一つのダウンリンク伝送シンボルとを含むように構成され、アップリンク伝送シンボルとダウンリンク伝送シンボルとによって占用されたサブタイムスロットは、交互に配置される。
【００９５】
送信モジュール８２は、確定された前記少なくとも一つのフレキシブルサブフレームの構成情報を、シグナリングを使用して、ユーザ機器ＵＥに送信するように構成される。
【００９６】
伝送モジュール８３は、確定された前記少なくとも一つのフレキシブルサブフレームの構成情報に基づいて、アップリンク伝送シンボルが位置するサブタイムスロットで、アップリンクデータを受信し、ダウンリンク伝送シンボルが位置するサブタイムスロットで、ダウンリンクデータを送信するように構成される。
【００９７】
一実施例において、図９に示したように、上記の確定モジュール８１は、第１の確定サブモジュール８１１を備える。
【００９８】
第１の確定サブモジュール８１１は、前記フレキシブルサブフレーム内のガード間隔の構成情報を確定し、ここで、ガード間隔は、ダウンリンク伝送シンボルが、アップリンク伝送シンボルに転換される際に、前記ダウンリンク伝送シンボルとアップリンク伝送シンボルとの間に、位置する。
【００９９】
一実施例において、上記の第１の確定サブモジュール８１１は、ガード間隔が、ダウンリンク伝送シンボルが、一つのフレキシブルサブフレーム内で、アップリンク伝送シンボルに転換される際に、前記ダウンリンク伝送シンボルとアップリンク伝送シンボルとの間に、位置しているか、それとも、前記ガード間隔が、ダウンリンク伝送シンボルが、隣接するフレキシブルサブフレームとの間で、アップリンク伝送シンボルに転換される際に、前記ダウンリンク伝送シンボルとアップリンク伝送シンボルとの間に、位置しているかを、確定する。
【０１００】
一実施例において、図９に示したように、確定モジュール８１は、第２の確定サブモジュール８１２をさらに備え、その中、
第２の確定サブモジュール８１２は、それぞれのフレキシブルサブフレーム毎に、それぞれのアップリンク伝送シンボルによって占用されたサブタイムスロット位置および時間長さと、それぞれのダウンリンク伝送シンボルによって占用されたサブタイムスロット位置および時間長さとを、確定し、
第１の確定サブモジュール８１１は、フレキシブルサブフレームがガード間隔をさらに含むように構成される際に、前記ガード間隔によって占用されたサブタイムスロット位置および時間長さを、確定する。
【０１０１】
一実施例において、上記の少なくとも一つのフレキシブルサブフレームは、動的配置フレキシブルサブフレームを含み、これに応じて、上記の確定モジュール８１は、動的配置フレキシブルサブフレームの中のそれぞれのサブタイムスロットの位置、占用情報、および、時間長さを、周期的に、確定する。
【０１０２】
一実施例において、上記の少なくとも一つのフレキシブルサブフレームは、半動的配置フレキシブルサブフレームを含み、上記の半動的配置フレキシブルサブフレームは、固定配置タイムスロットとフレキシブル配置タイムスロットとを含み、これに応じて、上記の確定モジュール８１は、第１の設定周期の間隔で、半動的配置フレキシブルサブフレームの中のそれぞれの固定配置タイムスロットの位置、占用情報、および、時間長さを、確定し、第２の設定周期の間隔で、半動的配置フレキシブルサブフレームの中のそれぞれのフレキシブル配置タイムスロットの位置、占用情報、および、時間長さを、確定し、第１の設定周期は、第２の設定周期よりも、長い。
【０１０３】
一実施例において、上記のシグナリングは、ブロードキャストシグナリング、ＲＲＣシグナリング、および、物理層シグナリングを、含んでもよい。しかし、本開示の実施例は、上記のシグナリングに限定されない。
【０１０４】
図１０は、本開示の例示的なもう一実施例のデータ伝送装置を示すブロック図であり、当該装置は、ＵＥに用いられ、受信モジュール１０１と伝送モジュール１０２と、を備える。
【０１０５】
受信モジュール１０１は、基地局によって送信される時分割複信ＴＤＤ無線フレームに含まれた少なくとも一つのフレキシブルサブフレームの構成情報を受信するように構成され、ここで、前記フレキシブルサブフレームは、少なくとも一つのアップリンク伝送シンボルと少なくとも一つのダウンリンク伝送シンボルとを含むように構成され、アップリンク伝送シンボルとダウンリンク伝送シンボルとによって占用されたサブタイムスロットは、交互に配置される。
【０１０６】
伝送モジュール１０２は、前記ＴＤＤ無線フレームに含まれた少なくとも一つのフレキシブルサブフレームの構成情報に基づいて、アップリンク伝送シンボルが位置するサブタイムスロットで、アップリンクデータを送信し、ダウンリンク伝送シンボルが位置するサブタイムスロットで、ダウンリンクデータを受信するように構成される。
【０１０７】
一実施例において、上記の受信モジュール１０１は、フレキシブルサブフレーム内のガード間隔の構成情報を受信し、ここで、ガード間隔は、ダウンリンク伝送シンボルが、アップリンク伝送シンボルに転換される際に、前記ダウンリンク伝送シンボルとアップリンク伝送シンボルとの間に、位置する。
【０１０８】
一実施例において、上記の受信モジュール１０１は、さらに、以下のフレキシブルサブフレームのガード間隔の構成情報を受信し、ここで、上記ガード間隔が、ダウンリンク伝送シンボルが、一つのフレキシブルサブフレーム内で、アップリンク伝送シンボルに転換される際に、前記ダウンリンク伝送シンボルとアップリンク伝送シンボルとの間に位置したり、または、上記ガード間隔が、ダウンリンク伝送シンボルが、隣接するフレキシブルサブフレームとの間で、アップリンク伝送シンボルに転換される際に、前記ダウンリンク伝送シンボルとアップリンク伝送シンボルとの間に位置する。
【０１０９】
一実施例において、上記の少なくとも一つのフレキシブルサブフレームは、動的配置フレキシブルサブフレームを含み、これに応じて、上記の受信モジュール１０１は、基地局によって送信されるＴＤＤ無線フレームの中の少なくとも一つの動的配置フレキシブルサブフレームの構造情報を、周期的に、受信し、ここで、前記動的配置フレキシブルサブフレームの中のそれぞれのサブタイムスロットの位置、占用情報、および、時間長さは、周期的に、動的に配置される。
【０１１０】
一実施例において、上記の少なくとも一つのフレキシブルサブフレームは、半動的配置フレキシブルサブフレームを含み、半動的配置フレキシブルサブフレームは、固定配置タイムスロットとフレキシブル配置タイムスロットとを含み、これに応じて、受信モジュール１０１は、第１の設定周期の間隔で、基地局によって送信される無線フレームの中の少なくとも一つの半動的配置フレキシブルサブフレームの中のそれぞれの固定配置タイムスロットの位置、占用情報、および、時間長さの構成情報を、受信し、第２の設定周期の間隔で、基地局によって送信される無線フレームの中の少なくとも一つの半動的配置フレキシブルサブフレームの中のそれぞれのフレキシブル配置タイムスロットの位置、占用情報、および、時間長さの構成情報を、受信し、上記の第１の設定周期は、第２の設定周期よりも、長い。
【０１１１】
上記の実施例の装置については、その中のそれぞれのモジュールによって実行される操作の具体的な方式は、前記方法の実施例ですでに詳細に説明したため、ここでは詳細に説明しない。
【０１１２】
本開示の実施例によって提供されるデータ伝送方法、装置、コンピュータプログラム、および、記録媒体によると、まず、ＴＤＤ無線フレームに含まれた少なくとも一つのフレキシブルサブフレームの構成情報を確定し、ここで、当該フレキシブルサブフレームは、少なくとも一つのアップリンク伝送シンボルと少なくとも一つのダウンリンク伝送シンボルとを含むように構成され、アップリンク伝送シンボルとダウンリンク伝送シンボルとによって占用されたサブタイムスロットは、交互に配置され、続いて、確定された少なくとも一つのサブフレームの構成情報を、シグナリングを使用して、ＵＥに送信し、その後、当該フレキシブルサブフレームの構成情報に基づいて、アップリンクデータ／ダウンリンクデータの伝送を実行することによって、関連技術でのＴＤＤ無線フレームのサブフレームの構成方式である、一つのサブフレーム（アップリンクサブフレーム又はダウンリンクサブフレーム）内に同一のタイプの伝送シンボルのみを含む（アップリンクサブフレームは、アップリンク伝送シンボルのみを含み、ダウンリンクサブフレームは、ダウンリンク伝送シンボルのみを含む）方式と、比較すると、一つのサブフレーム内でアップリンク伝送シンボルとダウンリンク伝送シンボルとの配置が実現できるため、ユーザ機器のＡＣＫ／ＮＡＣＫなどの確認メッセージのフィードバックを迅速に行うことができて、伝送遅延をより良く低減した。
【０１１３】
もう一方では、本開示の実施例によって提供されるデータ伝送方法によると、フレキシブルサブフレームは、動的配置フレキシブルサブフレームと半動的配置フレキシブルサブフレームとを含み、その構造を、完全に柔軟に配置してもよく、一部を柔軟に配置してもよいので、ＴＤＤサブフレームの構成がもっと柔軟になり、異なるサービス、ネットワークカバレッジ、ネットワーク容量、および、ネットワーク干渉などの要因によって、再配置することができて、ＴＤＤのアップリンク／ダウンリンクの非対称サービスのニーズを十分に満足させた。
【０１１４】
また、動的配置フレキシブルサブフレームと比較すると、半動的配置フレキシブルサブフレームの構造を使用してデータ伝送を実行すると、制御シグナリングのオーバヘッドをより良く節約でき、干渉を排除する際に、どのシンボルが干渉をもたらす可能があるかをより良く確定することができる。
【０１１５】
図１１は、例示的な一実施例に係るデータ伝送装置を示すブロック図である。例えば、装置１６００は、携帯電話、コンピュータ、デジタル放送端末、メッセージ送受信デバイス、ゲームコンソール、タブレットデバイス、医療機器、フィットネス機器、パーソナルデジタルアシスタント等であってもよい。
【０１１６】
図１１を参照して、装置１６００は、プロセスアセンブリ１６０２、メモリ１６０４、電源アセンブリ１６０６、マルチメディアアセンブリ１６０８、オーディオアセンブリ１６１０、入出力（Ｉ／Ｏ）インターフェイス１６１２、センサアセンブリ１６１４、及び通信アセンブリ１６１６中の一つまたは複数のアセンブリを含んでよい。
【０１１７】
通信アセンブリ１６１６は、標準ＢＬＥ  （Ｂｌｕｅｔｏｏｔｈ  Ｌｏｗ  Ｅｎｅｒｇｙ、ブルートゥース低エネルギー）プロトコルを支援するブルートゥースモジュールを含み、当該ブルートゥースモジュールは、制御チップ及び制御チップに接続されたブルートゥースチップを含む。
【０１１８】
プロセスアセンブリ１６０２は、一般的に装置１６００の全体の動作を制御するものであり、例えば、表示、電話呼び出し、データ通信、カメラ動作、及び記録動作と関連する動作を制御することができる。プロセスアセンブリ１６０２は、一つまたは複数のプロセッサ１６１８を含み、これらによってインタラクションを実行することにより、上記の方法の全部、或は一部のステップを実現するようにしてもよい。なお、プロセスアセンブリ１６０２は、一つまたは複数のモジュールを含み、これらによってプロセスアセンブリ１６０２と他のアセンブリの間のインタラクションを容易にするようにしてもよい。例えば、プロセスアセンブリ１６０２は、マルチメディアモジュールを含み、これらによってマルチメディアアセンブリ１６０８とプロセスアセンブリ１６０２との間のインタラクションを容易にするようにしてもよい。
【０１１９】
メモリ１６０４には、各種類のデータが記憶され、装置１６００の動作を支援する。これらのデータの例として、装置１６００において動作するいずれのアプリケーションプログラム又は方法を実行するためのインタラクション、連絡対象データ、電話帳データ、メッセージ、画像、ビデオ等を含む。メモリ１６０４は、いずれの種類の揮発性メモリ、不揮発性メモリ記憶デバイスまたはそれらの組み合わせによって実現されてもよく、例えば、ＳＲＡＭ（ＳｔａｔｉｃＲａｎｄｏｍＡｃｃｅｓｓＭｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【０１２０】
電源アセンブリ１６０６は、装置１６００の各アセンブリに電力を供給する。電源アセンブリ１６０６は、電源管理システム、一つまたは複数の電源、及び装置１６００のための電力の生成、管理及び割り当てに関連付けられている他のアセンブリを含んでもよい。
【０１２１】
マルチメディアアセンブリ１６０８は、前記装置１６００とユーザとの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含む場合、スクリーンはユーザからの入力信号を受信することができるタッチスクリーンで実現することができる。タッチパネルは一つまたは複数のタッチセンサを含んでおり、タッチ、スライディング、及びタッチパネル上のジェスチャを検出することができる。タッチセンサは、タッチ、或はスライディングの動作の境界位置だけでなく、タッチ、或はスライディングの操作に係る継続時間及び圧力も検出できる。上記の実施例において、マルチメディアアセンブリ１６０８は、一つのフロントカメラ、及び／又はリアカメラを含む。装置１６００が、例えば撮影モード、或はビデオモード等の動作モードにある場合、フロントカメラ、及び／又はリアカメラは外部からのマルチメディアデータを受信できる。フロントカメラとリアカメラのそれぞれは、一つの固定型の光レンズ系、或は可変焦点距離と光学ズーム機能を有するものであってもよい。
【０１２２】
オーディオアセンブリ１６１０は、オーディオ信号を入出力するように構成されてもよい。例えば、オーディオアセンブリ１６１０は、マイク（ＭＩＣ）を含み、装置１６００が、例えば呼出しモード、記録モード、及び音声認識モード等の動作モードにある場合、マイクは外部のオーディオ信号を受信することができる。受信されたオーディオ信号は、さらにメモリ１６０４に記憶されたり、または、通信アセンブリ１６１６を介して送信されたりしてもよい。上記の実施例において、オーディオアセンブリ１６１０は、オーディオ信号を出力するための一つのスピーカーをさらに含むことができる。
【０１２３】
Ｉ／Ｏインターフェイス１６１２は、プロセスアセンブリ１６０２と周辺インターフェイスモジュールとの間にインターフェイスを提供するためのものであり、上記周辺インターフェイスモジュールは、キーボード、クリックホイール、ボタン等であってもよい。これらのボタンは、ホームボタン、ボリュームボタン、作動ボタン、ロッキングボタンなどを含んでもよいが、これらに限定されない。
【０１２４】
センサアセンブリ１６１４は、装置１６００に各種の状態に対する評価を提供するための一つ又は複数のセンサを含む。例えば、センサアセンブリ１６１４は、装置１６００のＯＮ／ＯＦＦ状態、アセンブリの相対的な位置決めを検出できる。例えば、上記アセンブリが装置１６００のディスプレイとキーパッドである場合、センサアセンブリ１６１４は、装置１６００、或は装置１６００の一つのアセンブリの位置変更、ユーザと装置１６００とが接触しているか否か、装置１６００の方位、又は加速／減速、装置１６００の温度の変化を検出できる。センサアセンブリ１６１４は、何れの物理的接触がない状態にて付近の物体の存在を検出するための近接センサを含んでもよい。センサアセンブリ１６１４は、撮影アプリケーションに適用するため、ＣＭＯＳ、又はＣＣＤ画像センサのような光センサをさらに含んでもよい。上記の実施例において、当該センサアセンブリ１６１４は、加速度センサ、ジャイロスコープセンサ、磁気センサ、圧力センサ、及び温度センサをさらに含んでもよい。
【０１２５】
通信アセンブリ１６１６は、装置１６００と他の機器の間に有線、無線通信に利用される。装置１６００は、例えばＷｉＦｉ（登録商標）、２Ｇ、３Ｇ、或はこれらの組み合わせ等の、通信標準に基づいた無線ネットワークに接続されてもよい。例示的な一実施例において、通信アセンブリ１６１６は、放送チャンネルを介して外部の放送管理システムからの放送信号、又は放送に関連する情報を受信する。例示的な一実施例において、通信アセンブリ１６１６は、近距離無線通信（ＮＦＣ）モジュールをさらに含むことにより、近距離通信を可能にする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ（登録商標））技術、他の技術に基づいて実現できる。
【０１２６】
例示的な実施例において、装置１６００は、一つ又は複数のＡＳＩＣ（ＡｐｐｌｉｃａｔｉｏｎＳｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行することができる。
【０１２７】
例示的な実施例において、さらに、命令を含むコンピュータ読取り可能な非一時的な記録媒体、例えば命令を含むメモリ１６０４を提供しており、上記命令は装置１６００のプロセッサ１６１８により実行されて上記方法を実行することができる。例えば、前記コンピュータ読取り可能な非一時的な記録媒体は、ＲＯＭ、ＲＡＭ、ＣＤ−ＲＯＭ、磁気テープ、フロッピーディスク（登録商標）、光データ記憶デバイス等であることができる。
【０１２８】
本開示は、記録媒体をさらに提供し、前記記録媒体にはコンピュータプログラムが記録されており、前記コンピュータプログラムは、本開示の上記の実施例に記載されたデータ伝送方法を実行するための命令を含む。
【０１２９】
本開示は、コンピュータプログラムをさらに提供し、前記コンピュータプログラムがコンピュータによって実行される際に、前記プログラムは、本開示の上記の実施例に記載されたデータ伝送方法を含む。
【０１３０】
本願に、独立的な効果を持つ複数の発明が含まれていると考えるべきである。これらの発明のそれぞれは好ましい形態で開示されているが、本願に記載されたとおり、その特定の実施形態は、様々な変形を有するため、限定的なものであると見なされるべきではない。それぞれの実施例は、一つの上記の内容に限定された実施形態を限定するが、任意の一つの実施例は、必ずしも最終的に請求されるすべての特徴または組み合わせを含むと見なされるべきではない。もし、明細書に「一つの」又は「第１の」要素およびその均等物が記載されている場合、このような説明は一つ又は複数のこのような要素を含み、二つ又はもっと多いこのような要素を、要求もせずに除外もしない。なお、要素を識別するために使用されるシリアル番号（例えば、第１の、第２の、又は、第３の）は、これら要素を区別するために使用され、別途の説明がない限り、要素の数又は限定数の要素を規定しなく、要素の位置又は順序に対しても指示さない。
【０１３１】
当業者は、明細書を検討して本発明を実施した後、本開示の他の実施方案を容易に考え出すことができる。本願は、本開示のいずれの変形、用途、又は適応的な変更をカバーすることを意図しており、これらの変形、用途、又は適応的な変更は、本開示の一般的な原理に従い、また、本出願は公開していない当該技術分野の公知の知識又は通常の技術手段を含む。明細書と実施例はただ例示として考慮され、本開示の本当の範囲と趣旨は以下の特許請求の範囲に記載される。
【０１３２】
本開示は上記に記述され、また図面で示した厳密な構成に限定されず、その範囲を逸脱しない限り多様な置換えと変更を行うことができると、理解されるべきである。本開示の範囲は添付の特許請求の範囲により限定される。
【図１】
2019525581.tif 000003
【図２】
2019525581.tif 000004
【図３】
2019525581.tif 000005
【図４】
2019525581.tif 000006
【図５Ａ】
2019525581.tif 000007
【図５Ｂ】
2019525581.tif 000008
【図６】
2019525581.tif 000009
【図７】
2019525581.tif 000010
【図８】
2019525581.tif 000011
【図９】
2019525581.tif 000012
【図１０】
2019525581.tif 000013
【図１１】
2019525581.tif 000014
【国際調査報告】
2019525581.tif 000015
2019525581.tif 000016
2019525581.tif 000017
2019525581.tif 000018